(57)【要約】【課題】使用水量を増やすことなく、高効率な洗浄を可能にする。【解決手段】洗浄水が供給される洗浄手段２７を切換える分水手段３７と、前記洗浄手段２７への洗浄水の供給を制御する制御手段を備え、前記制御手段は、食器かご２４の下方から噴射する１つの洗浄手段２７ａからの噴射時間を、他の洗浄手段２７からの噴射時間より長くしたものである。【選択図】図１
2006068561.tif 000002
【特許請求の範囲】
【請求項１】
被洗浄物をセットする食器かごと、前記食器かごを収容する洗浄槽と、洗浄水を加圧する洗浄ポンプと、前記洗浄槽内に洗浄水を噴射する噴射口を有する複数の洗浄手段と、前記洗浄ポンプからの洗浄水が供給される洗浄手段を切換える分水手段と、前記洗浄手段への洗浄水の供給を制御する制御手段を備え、前記制御手段は、前記食器かごの下方から噴射する１つの洗浄手段からの噴射時間を、他の洗浄手段からの噴射時間より長くした食器洗い機。
【請求項２】
洗浄手段は、その少なくとも１つを食器かごにセットした皿類に向けて上方から洗浄水を噴射するようにした請求項１記載の食器洗い機。
【請求項３】
洗浄手段は、その少なくとも１つを食器かごにセットしたコップ類の内部に向けて下方から洗浄水を噴射するようにした請求項１記載の食器洗い機。
【請求項４】
洗浄手段は、その少なくとも１つを洗浄槽の天面に向けて直接洗浄水を噴射するように構成し、前記天面に向けて噴射した洗浄水によって食器かごにセットしたコップ類の糸底部を洗浄するようにした請求項１記載の食器洗い機。
【請求項５】
食器かごに箸等の小物類を入れる小物かごを設け、洗浄手段は、その少なくとも１つを前記小物かごに入れた箸等に向けて上方から洗浄水を噴射するようにした請求項１記載の食器洗い機。
【請求項６】
洗浄槽の平面形状を略長方形に形成し、洗浄手段は、食器かごの下方に複数設けた請求項１〜５のいずれか１項に記載の食器洗い機。
【請求項７】
食器かごの下方に複数設けた洗浄手段は、同時に洗浄水を噴射する構成とした請求項６記載の食器洗い機。
【請求項８】
洗浄槽の平面形状を略長方形に形成し、洗浄手段は、食器かごの下面より上方に位置し、かつ、前記洗浄槽の長手方向の両側に設けた請求項１〜５のいずれか１項に記載の食器洗い機。
【請求項９】
洗浄槽の平面形状を略長方形に形成し、前記洗浄槽の長手方向の半分より片側に位置する洗浄手段から噴射される洗浄水によって、他方の半分に位置する被洗浄物が洗浄されるようにした請求項１〜５のいずれか１項に記載の食器洗い機。
【請求項１０】
食器かごを上下方向に複数配設し、前記複数の食器かごの間に洗浄手段を設けた請求項１〜５のいずれか１項記載の食器洗い機。
【発明の詳細な説明】
【技術分野】
【０００１】
本発明は、洗浄水を供給する洗浄手段を切換え可能な食器洗い機や食器洗い乾燥機に関するものである。
【背景技術】
【０００２】
従来、一般的な食器洗い機は、図１２に示すように構成していた。以下、その構成について説明する。図に示すように、食器洗い機本体１は、内部に洗浄槽２を設けており、この洗浄槽２内へ給水弁３により水または湯を供給するようにしている。洗浄槽２の底部には排水孔４を設け、この排水孔４に連通し、モータによって駆動される洗浄ポンプ５を取り付け、この洗浄ポンプ５により洗浄水を洗浄槽２の内部に循環するよう構成している。また、排水孔４には残さいを捕集する残さいフィルタ６を具備している。
【０００３】
すなわち、この循環は、洗浄水は残さいフィルタ６を通過し、洗浄ポンプ５に吸い込まれ、洗浄ポンプ５より洗浄槽２の内底部に設けた洗浄手段（洗浄ノズル）７に供給され、この洗浄ノズル７から噴射され、食器を洗浄した後、再び排水孔４に戻るという経路で行われる。この際、食器から脱落した残さい等は、洗浄水とともに残さいフィルタ６に流入し、残さいフィルタを通過できない大きさの残さいは残さいフィルタ６に捕集される。
【０００４】
また、洗浄ノズル７と洗浄槽２の底部との間には、洗浄水加熱用のヒータ８を装備し、洗浄ノズル７の上方には、食器９を整然と配置でき、洗浄水を効果的に食器９に噴射するように構成した食器かご１０を設置して効率的に洗浄を行っている。また、排水ポンプ１１は、排水ホース１２を通して洗浄水を機外に排出するものである。
【発明の開示】
【発明が解決しようとする課題】
【０００５】
しかしながら、従来の食器洗い機では、洗浄水は下方からの噴射のみであり、食器かご１０にセットしたすべての食器９を効率よく洗浄することができず、洗浄時間が長くなるなどの課題があった。
【０００６】
このため、特開平５−３０５０５０号公報に示すように、複数個の洗浄ノズルを用いて多方向から洗浄水を噴射することが考えられるが、一度に従来より多量に洗浄水を噴射するには、当然洗浄槽に溜める給水量も多くしなくてはならない。すなわち、給水量の増大によって洗浄水の温度上昇時間が長くなり、結果として運転時間が延びる、消費電力量が増える、使用水量が増える、さらには、洗浄ポンプも大型のものが必要となることから、コストの上昇や、一度に多量の洗浄水を噴射することによる騒音、振動の増大など数々の問題が発生する。なお、水量を増やさない場合には、１個の洗浄手段からの噴射圧や流量が小さくなってしまい、洗浄できなくなってしまう。
【０００７】
このため、特開２００１−３２１３１６号公報に記載されているように、洗浄水を供給する洗浄手段を選択的に切換える切換え手段を用い、順次洗浄水を噴射しながら、多方向から洗浄する方法があり、給水量を増加させることなく、効率的にできるようになっている。
【０００８】
しかしながら、食器かごには基本的な食器のセット位置が決められており、食器ごとに汚れの種類や付着の仕方も異なることから、単に多方向から噴射しただけでは洗浄効率が上がらず、洗い残しを生じたり、洗浄性能を確保するためには洗浄時間が長くなる等の課題を有していた。
【０００９】
本発明は、上記従来の課題を解決するもので、より高効率な洗浄を行うことを目的としている。
【課題を解決するための手段】
【００１０】
上記の目的を達成するために本発明は、洗浄槽内に洗浄水を噴射する複数の洗浄手段と、洗浄ポンプからの洗浄水が供給される洗浄手段を切換える分水手段と、前記洗浄手段への洗浄水の供給を制御する制御手段を備え、前記制御手段は、前記食器かごの下方から噴射する１つの洗浄手段からの噴射時間を、他の洗浄手段からの噴射時間より長くしたものである。
【００１１】
これにより、より洗浄負荷の大きいところに洗浄時間を多く掛けることで、トータルの運転時間を長くすることなく、高洗浄性能を得ることができる。
【発明の効果】
【００１２】
本発明の食器洗い機は、洗浄性能の高い、高効率な洗浄を行うことができる。
【発明を実施するための最良の形態】
【００１３】
第１の発明は、被洗浄物をセットする食器かごと、前記食器かごを収容する洗浄槽と、洗浄水を加圧する洗浄ポンプと、前記洗浄槽内に洗浄水を噴射する噴射口を有する複数の洗浄手段と、前記洗浄ポンプからの洗浄水が供給される洗浄手段を切換える分水手段と、前記洗浄手段への洗浄水の供給を制御する制御手段を備え、前記制御手段は、前記食器かごの下方から噴射する１つの洗浄手段からの噴射時間を、他の洗浄手段からの噴射時間より長くしたものであり、より洗浄負荷の大きいところに洗浄時間を多く掛けることで、トータルの運転時間を長くすることなく、高洗浄性能を得ることができる。
【００１４】
第２の発明は、特に、第１の発明の洗浄手段は、その少なくとも１つを食器かごにセットした皿類に向けて上方から洗浄水を噴射するようにしたものであり、皿類は表面積が広く、表面全体に洗浄水を均一に噴射することが困難であり、多方向より噴射することで均一化を図れるが、単に多方向から噴射しただけでは、一度洗い落とした残さいが再付着し、なかなか洗い流せないという課題がある。この再付着物を洗い落とす（すすぐ）には、上方より多量の洗浄水を流すことが効果的であるが、洗浄手段を多数設け、その一部を皿類の上方に設置したとしても、すべての洗浄手段から同時に噴射してしまえば、循環水量を増やさない限り、噴射量が減少し、すすぎは不十分であり、洗浄力も小さくなってしまう。
【００１５】
つまり、分水手段を用い、かつ、皿類の上方に洗浄手段を設けることではじめて、使用水量を増やすことなく、皿類に向けて上方より多量に洗浄水を噴射し、上から下に洗い流すという効果的なすすぎが行え、再付着をなくすことができる。
【００１６】
また、この噴射が洗浄に寄与することは言うまでもなく、洗浄とすすぎの両方の性能を向上でき、高効率な洗浄が可能となる。また、洗浄性能が向上することから、従来と同性能を確保するだけなら、一回の給水量を減らすことができ、省水量、省エネを実現できる。
【００１７】
第３の発明は、特に、第１の発明の洗浄手段は、その少なくとも１つを食器かごにセットしたコップ類の内部に向けて下方から洗浄水を噴射するようにしたものであり、湯呑みやコップ類は、入口寸法より深さの方が大きい形状をしており、その内側を洗浄する場合、奥まで到達する高い噴射圧と内壁全体に洗浄水を行き渡らせる流量の両方を備えた噴射が必要である。コップ類をセットする位置の近傍にコップ類の内側に向けて直接洗浄水を噴射する洗浄手段を設け、かつ、分水手段により高圧、高流量の噴射を得ることで、一回の給水量を増やすことなく、洗浄性能を向上することができる。
【００１８】
第４の発明は、特に、第１の発明の洗浄手段は、その少なくとも１つを洗浄槽の天面に向けて直接洗浄水を噴射するように構成し、前記天面に向けて噴射した洗浄水によって食器かごにセットしたコップ類の糸底部を洗浄するようにしたものであり、湯呑みは基本的に伏せて置くため、その糸底部には、どうしても細かな残さいが溜まってしまう傾向にあり、これらを洗い落とすには、湯呑みの上方より噴射する必要がある。
【００１９】
しかし、湯呑みやコップ類の外側はほとんど汚れておらず、糸底の洗浄のためだけに洗浄手段を設けることが非効率であり、全体の洗浄性能を低下させることもある。このため、洗浄槽の天面に向けて直接噴射することで、天面からの洗浄水の落下により糸底の残さいを流し落とすことができ、すすぎ性能が向上する。この際、天面に向けて直接噴射されることから、他の被洗浄物に遮られることなく、確実に天面に洗浄水を噴射できる。なお、天面にはコップ類の配置位置の上方に凸部を形成すれば、糸底部に集中的に洗浄水が落下するようになり、より糸底のすすぎ性能を向上することができる。
【００２０】
第５の発明は、特に、第１の発明の食器かごに箸等の小物類を入れる小物かごを設け、洗浄手段は、その少なくとも１つを前記小物かごに入れた箸等に向けて上方から洗浄水を噴射するようにしたものであり、箸やスプーン等の小物類は、小物かごにまとめて立てかけるようになっており、先端の向きや傾斜もランダムであり、多方向より高圧で噴射させることが必要である。
【００２１】
さらに、小物同士が重なり合った部分には、残さいが挟まるなど再付着しやすいが、上方より大量の洗浄水を噴射することで、洗い落とすことができる。小物類の上方より噴射する洗浄手段を設け、かつ、分水手段により高圧、高流量の噴射を得ることで、一回の給水量を増やすことなく、洗浄、すすぎ性能を向上することができる。
【００２２】
第６の発明は、特に、第１〜第５のいずれか１つの発明の洗浄槽の平面形状を略長方形に形成し、洗浄手段は、食器かごの下方に複数設けたものであり、少ない洗浄手段からの噴射では、食器かご全体に洗浄水を噴射することが困難な長方形の洗浄槽において、分水手段により洗浄水を分岐して多方向より噴射することで、水量を増加させることなく、洗浄、すすぎ性能を向上できる。
【００２３】
第７の発明は、特に、第６の発明の食器かごの下方に複数設けた洗浄手段は、同時に洗浄水を噴射する構成としたものであり、長方形の洗浄槽において、食器かごの下方から複数の回転ノズルで同時に噴射する構成であり、従来と同じ水量において、より完全に、より早く洗浄することができる。
【００２４】
第８の発明は、特に、第１〜第５のいずれか１つの発明の洗浄槽の平面形状を略長方形に形成し、洗浄手段は、食器かごの下面より上方に位置し、かつ、前記洗浄槽の長手方向の両側に設けたものであり、略長方形の洗浄槽において、食器かごのほぼ全域に上方より洗浄水を噴射することで、十分な洗浄、すすぎ性能を確保することができるため、洗浄手段の数を最少に抑えることができる。また、洗浄手段の数が減ることで、食器かごの下方からの噴射時間を長くできるなど、他部位の洗浄力を高めることができ、洗浄槽内全体の洗浄性能を向上できる。
【００２５】
第９の発明は、特に、第１〜第５のいずれか１つの発明の洗浄槽の平面形状を略長方形に形成し、前記洗浄槽の長手方向の半分より片側に位置する洗浄手段から噴射される洗浄水によって、他方の半分に位置する被洗浄物が洗浄されるようにしたものであり、洗浄水を全体に行き渡らせることが困難な矩形の洗浄槽において、１個の被洗浄物に対してより多方向から噴射されるため、より効率的に洗浄できる。
【００２６】
第１０の発明は、特に、第１〜第５のいずれか１つの発明の食器かごを上下方向に複数配設し、前記複数の食器かごの間に洗浄手段を設けたものであり、食器かごに収容できる食器点数が増えるため、洗浄負荷は増加し、より洗浄しにくくなるが、分水手段および食器配置に適した洗浄手段を設置することで、十分な洗浄を行うことができる。
【００２７】
以下、本発明の実施の形態について、図面を参照しながら説明する。なお、本実施の形態によって本発明が限定されるものではない。
【００２８】
（実施の形態１）
図１および図２に示すように、食器洗い機本体２０には、扉２１で開閉可能な洗浄槽２２を設け、食器等の被洗浄物２３は食器かご２４にセットされ、洗浄槽２２内に収容している。給水弁（図示せず）は洗浄槽２２に洗浄水を供給するものであり、洗浄ポンプ２６は洗浄水を加圧して、複数の噴射口を設けた洗浄手段（洗浄ノズル）２７に供給し、洗浄手段２７より洗浄水を噴射する。
【００２９】
洗浄手段２７は、食器かご２４の下方から噴射する洗浄手段２７ａ、２７ｂと、洗浄槽２２の背面（側面）側より噴射する洗浄手段２７ｃ、２７ｄの４ヶ所に設置しており、洗浄手段２７ａ、２７ｂは、噴流によって軸まわりに回転する回転式ノズル、洗浄手段２７ｃ、２７ｄは、移動しない固定式ノズルであり、各々の洗浄手段２７には洗浄水を噴射する噴射口を４から１０個程度備えている。
【００３０】
また、洗浄槽２２の底部には、洗浄ポンプ２６の吸い込み側へ連通した排水口２８を有し、この排水口２８には残さいを収集する残さいフィルタ２９と、洗浄水を加熱する発熱体３０を設け、洗浄槽２２の温度を検知する温度センサ３１を設けている。排水ポンプ３２は洗浄槽２２内の洗浄水を排出するものである。送風機（図示せず）は、送風経路（図示せず）を通して洗浄槽２２に空気を送り、その排気を排気口３５より排出するようにしている。
【００３１】
また、洗浄ポンプ２６の吐出経路３６には、洗浄水を供給する洗浄手段２７を選択的に切換える分水手段３７を設置しており、この分水手段３７は、洗浄水が流入する流入部３８と、４個の洗浄手段２７ａ、２７ｂ、２７ｃ、２７ｄに各々連通した４個の流出部３９を備え、４個の流出部３９は各々洗浄経路４３で洗浄手段２７ａ、２７ｂ、２７ｃ、２７ｄに連結されている。なお、１個の洗浄手段とは、１個の洗浄経路４３を通過した洗浄水が噴射される噴射口の集合体を指す。
【００３２】
分水手段３７は、図３のように構成しており、流入部３８と流出部３９を有するケーシング４０と、このケーシング４０内に移動可能に設けた弁体４１とで構成され、弁体４１には洗浄水を通過させる開口部４２を設けている。そして、開口部４２と連通する流出部３９を切換えるために、弁体４１を回転動作させる駆動モータ（電動駆動源）５４を有し、この駆動モータ５４のモータ軸５５は、隙間を持った状態で弁体４１と嵌合している。
【００３３】
上記構成において、まず、食器洗い機の基本動作について説明する。食器等の被洗浄物２３を食器かご２４にセットして洗浄槽２２に収納し、洗剤を投入した後、扉２１により食器洗浄機本体２０の開口部を閉塞し、運転を開始する。被洗浄物２３の汚れを落とす洗浄工程、付着した洗剤や残菜を流すすすぎ工程、そして、被洗浄物２３に付着している水適を乾燥させる乾燥工程の順に実行する。
【００３４】
まず、給水弁を動作して所定量の洗浄水を洗浄槽２２に給水し、続いて、洗浄ポンプ２６により洗浄水を加圧し、洗浄手段２７から洗浄水を噴射する。この際、洗浄槽２２内に設けたシーズヒータ等の発熱体３０に通電しており、洗浄水を加温しながら洗浄工程は行われる。また、温度センサ３１は洗浄槽２２の温度を検知しており、所定温度以上になると発熱体３０への通電を停止する。
【００３５】
洗浄水の循環は、残さいフィルタ２９を通過し、洗浄ポンプ２６に吸い込まれ、洗浄ポンプ２６より洗浄槽２２の内底部に設けた洗浄手段（洗浄ノズル）２７に供給され、この洗浄手段２７から噴射され、被洗浄物２３を洗浄した後、再び排水口２８に戻るという経路で行われる。この際、被洗浄物２３から脱落した残さい等は、洗浄水とともに残さいフィルタ２９に流入し、この残さいフィルタ２９を通過できない大きさの残さいは、残さいフィルタ２９に捕集される。
【００３６】
所定時間の洗浄工程を終えると、汚れを含む洗浄水は排水ポンプ３２により機外に排出され、新たに洗浄水が供給される。洗浄ポンプ２６を運転し、洗浄手段２７から再び洗浄水を噴射して、洗剤や残菜等の付着した被洗浄物２３のすすぎを行う。所定時間運転した後、洗浄水を排出し、再び洗浄水を供給するという動作を繰り返し、このすすぎ工程は連続して３回程度行う。最後に、洗浄水を機外に排出して、すすぎ工程は終了する。
【００３７】
続いて乾燥工程を行い、送風機を動作させることにより、送風経路を通って外気が洗浄槽２２内に送風され、排気口３５より排出される。この際、発熱体３０には通電されており、送風と温度の両方の効果によって被洗浄物２３に付着した水滴の蒸発は促進される。所定時間これらの乾燥工程を行い、運転を終了する。上記洗浄槽２２への洗浄水の給水の制御をはじめ、洗浄ポンプ２６の駆動の制御、温度センサ３１の出力に基づいて洗浄槽２２内の洗浄水を所定の温度に加熱すべく発熱体３０への通電の制御、排水ポンプ３２の駆動の制御、乾燥工程における送風機の駆動の制御等は、食器洗い機本体２０内に設けた制御手段（図示せず）によって制御される。
【００３８】
次に、本実施の形態の特徴的な構成である分水手段３７および洗浄手段２７の動作、作用について説明する。分水手段３７は、流入部３８よりケーシング４０内に流入した洗浄水が流出する流出部３９を、弁体４１の回転動作によって分岐する構成であり、駆動モータ５４を駆動して弁体４１を回転させることで、洗浄水を供給する流出部３９は順次切換わり、洗浄水が噴射する洗浄手段２７は所定の間隔で２７ａ、２７ｂ、２７ｃ、２７ｄの順で順次切換えることができる。
【００３９】
この際、駆動モータ５４は、連続的に駆動する方法と、流出部３９位置で開口部４２が停止するように断続的に駆動する方法とがある。前者の場合は、弁体４１の位置を検出するセンサ等が不要であり、構成は簡単である。後者の場合は、位置センサ等を必要とするが、切換効率がよく、状況に応じて選択的に洗浄手段２７の位置や噴射時間を設定することもできるという利点があるが、いずれかを限定するものではない。
【００４０】
なお、１ヶ所の洗浄手段２７から噴射する時間は、数秒から数分程度で切換えれば、効率的な洗浄が行えるが、１回の洗浄ないしすすぎ工程中に、少なくとも１回はすべての洗浄手段２７から噴射されるように設定することが望ましい。したがって、１０秒から１分程度に設定すればよい。なお、上記洗浄手段２７の切換えも制御手段によって制御される。
【００４１】
そして、分水手段３７を用いて、所定の間隔で順次洗浄水を噴射する複数の洗浄手段２７は、被洗浄物２３の配置に対応した位置に設けてあり、各々の被洗浄物２３に適した方向や噴射圧および流量で洗浄水を噴射して洗浄効果を高めている。本実施の形態の食器かご２４は、下段の左半分は主に碗類２３（Ａ）、右半分には皿類２３（Ｂ）を入れ、中央付近に箸等の小物類２３（Ｃ）をいれ、碗類上方に設けた上段には湯飲みやコップ類２３（Ｄ）をセットするようにしている。
【００４２】
図１では、食器かご２４の右側に主にセットする皿類２３（Ｂ）の上方に噴射口を有する洗浄手段２７ｃを、皿類２３（Ｂ）近傍の背面右側の上部に設け、洗浄槽２２の上部にセットするコップ類２３（Ｄ）の下方より洗浄水を噴射する洗浄手段２７ｄを背面右側の中間高さ位置に設けている。また、洗浄手段２７ｄからは、洗浄槽２２の天面に向けて直接噴射する噴射口を備えている。また、この洗浄手段２７ｃおよび２７ｄの両方に、小物類２３（Ｃ）をねらった噴射口を備えている。
【００４３】
皿類２３（Ｂ）は、表面積が広く、単に多方向から噴射しただけでは、一度洗い落とした残さいが再付着した場合には、なかなか洗い流せないが、分水手段３７を用い、かつ、皿類２３（Ｂ）の上方に洗浄手段２７ｃを設けることで、使用水量を増やすことなく、皿類２３（Ｂ）に向けて上方から洗浄水を分散噴射することができ、上から下へ洗い流すという効果的なすすぎが行え、再付着をなくすことができる。また、この噴射が洗浄に寄与することは言うまでもなく、洗浄とすすぎの両方の性能を向上でき、高効率な洗浄が可能できる。また、洗浄性能が向上することから、従来と同性能を確保するだけなら一回の給水量を減らすことができ、省水量、省エネを実現できる。
【００４４】
また、湯呑みやコップ類２３（Ｄ）は、入口寸法より深さの方が大きい形状をしており、その内側を洗浄する場合、奥まで到達する高い噴射圧と内壁全体に洗浄水を行き渡らせる流量の両方を備えた噴射が必要である。コップ類２３（Ｄ）をセットする位置の近傍にコップ類の内側に向けて直接洗浄水を集中噴射する洗浄手段を設け、かつ、分水手段３７により高圧、大流量の噴射を得ることで、一回の給水量を増やすことなく、洗浄性能を向上することができる。
【００４５】
また、湯飲みは基本的に伏せて置くため、その糸底部Ｅには、残さいが溜まる傾向にあるが、洗浄槽２２の天面に向けて直接噴射する噴射口を備えていることから、他の被洗浄物に遮られることなく、天面からの洗浄水の落下によりこれらの残さいを流し落とすことができ、すすぎ性能が向上する。なお、天面にはコップ類２３（Ｄ）の配置位置の上方に凸部を形成しており、糸底部Ｅに集中的に洗浄水が落下するようにしており、より糸底部Ｅのすすぎ性能を向上している。
【００４６】
また、洗浄手段２７ｃの噴射口は、箸やスプーン等の小物類２３（Ｃ）の上方からも噴射するようになっており、小物類同士が重なり合った部分には、残さいが再付着しやすいが、皿類２３（Ｂ）と同様に、小物類２３（Ｃ）に向けて上方より大量の洗浄水を全体に噴射することにより、効率よくすすぎを行うことができる。
【００４７】
なお、被洗浄物２３に向けて上方からという表現は、真上からという限定の意味ではなく、洗浄槽２２の壁面に噴射口を設けて斜め上方からの噴射も含むものであり、上記効果が得られることに違いはない。また、皿類２３（Ｂ）の全てに対して上方より噴射する必要はなく、一部に噴射されるだけでも、その分の効果を得ることができる。また、下方からという表現についても同様である。したがって、洗浄手段２７は壁面に設けてあっても、壁面から突出して空間内に設けられていても、また、食器かご２４に設置されていても、同じ効果が得られる。
【００４８】
また、背面左側に設けた洗浄手段２７ｄからは、洗浄槽２２の右側に位置する小物類２３（Ｃ）の方向にも噴射している。たとえわずかでも、別方向の空間に向けて噴射することで、より多方向から洗浄水が当たることから、より洗浄性能が向上する。これ以外の例えば、回転ノズルで構成した洗浄手段２７ａ、および洗浄手段２７ｃにおいても、先端の噴射口を別方向の空間に向けることで、効果が得られる。
【００４９】
また、分水手段３７を用い、かつ、被洗浄物２３の配置に対応した位置に洗浄手段２７を設置することで、被洗浄物２３等に付着した洗剤や残さいを高効率にすすぐことができるため、すすぎ回数を削減することが可能であり、例えば、４工程行っていたすすぎを３工程に減少させることが可能となる。一回の給水量も削減可能であり、しかも、すすぎ回数を削減できることから、ヒータ３０を用いた洗浄水の加熱時間も短縮することができる。
【００５０】
また、洗浄ポンプ２６の回転数を可変できるインバータモータを用いた場合など、洗浄ポンプ２６の出力を可変とすれば、洗浄水が供給される洗浄手段２７によって、洗浄ポンプ２６の出力を変えることができ、より高圧で噴射したり、より高流量を流すなど、より効率的な洗浄が行える。例えば、洗浄手段２７ａから噴射するときには出力を上げ、噴射圧をより高めることができ、ご飯のこびり付きを短時間で取り除けるなど、より効率的な洗浄が行える。この際、いずれの洗浄手段２７から噴射しているかを検知する必要があり、分水手段３７の弁体４１の位置を検知するセンサを用いたり、洗浄経路４３内の圧力や流れを検知するセンサを用いれば、判定可能である。
【００５１】
また、洗浄手段２７ごとに噴射時間が異なるようにすれば、より洗浄負荷の大きいところに洗浄時間を多く掛けることで、トータルの運転時間を長くすることなく、高洗浄性能を得ることができる。例えば、ご飯粒のこびり付いた茶碗の洗浄には多くのエネルギが必要であり、洗浄手段２７ａからの噴射時間を長くすれば、全体の時間を長くすることなく、洗浄することができる。
【００５２】
また、洗浄とすすきで切換え時間を変えることも有効であり、最終すすぎでは、分水切換えの間隔を長くしたり、あるいは、被洗浄物２３に向けて上方からの噴射時間を長くすることで、再付着した粒子を洗い落とせることから、性能を向上できる。これには、噴射位置を検知して切換え時間を制御する場合や、分水手段３７の流出部３９の面積を変えるなど機構的手段で長くすることも可能である。
【００５３】
また、洗浄槽２２の平面形状が略正方形の場合には、洗浄槽２２の底面に１個の回転ノズル２７を設けることで洗浄槽２２全体に洗浄水を噴射でき、洗浄槽２２の上方にさらに回転ノズル２７を設け、合計２個の回転ノズルを用いれば、高効率な洗浄を実現できる。しかし、図４のように洗浄槽２２の平面形状が略長方形の場合、１個の洗浄手段２７で洗浄槽２２全体に洗浄水を噴射することは非常に困難であり、最低でも食器かご２４の下方に２個の洗浄手段が必要となる。
【００５４】
洗浄槽２２の平面形状が略長方形に形成されている場合、洗浄槽２２の長手方向の半分より片側、例えば右側に位置する洗浄手段２７ａから噴射される洗浄水によって、他方の左側半分に位置する被洗浄物２３（Ｂ）が洗浄されるようにすると、洗浄水を全体に行き渡らせることが困難な矩形の洗浄槽２２においても、１個の被洗浄物２３に対してより多方向から噴射されるため、より効率的に洗浄することができる。
【００５５】
しかも、その長方形の縦横比が２倍から外れるほど、図４のように、２個の回転ノズル２７だけは洗浄できない領域（ハッチング部）が大きくなり、食器かご２４全体に洗浄水を行き渡らせることがより困難となる。このため、３個以上の洗浄手段２７を設置することが必須となり、また、複数方向より洗浄水が当たるようにするためには、さらに多くの洗浄手段２７が必要となる。この場合は、当然噴射口の数も多数必要となることから、同時に洗浄水を噴射しようとすると多量の洗浄水を循環させる必要があるが、上記分水手段３７を用いることで、少水量での洗浄が可能となり、分水手段３７の効果をより発揮できる。
【００５６】
なお、分水手段３７は、図３に示したように駆動モータ５４で弁体４１を回転して切換える方式としたが、他の方式であっても同様の洗浄効果が得られる。例えば、図５および図６に示したように、洗浄ポンプ２６のＯＮ／ＯＦＦ運転を利用して弁体４１を切換える方法もある。これは、洗浄ポンプ２６のＯＮ／ＯＦＦによる弁体４１の上下動と、ケーシング４０および弁体４１に設けた係合部４４、４５の嵌合とを利用して、ポンプ２６を断続的に運転することで、順次流出部３９を切換えることができる。
【００５７】
洗浄ポンプ２６が停止した図６の状態から、洗浄ポンプ２６を運転すれば、係合部４４に沿って回転しながら弁体４１は上昇し、所定位置で弁体４１は停止して、特定の洗浄手段２７のみに洗浄水を供給できる。この場合には、電動駆動手段を用いずに切換えができ、低コストで小型の分水手段３７を提供できる。また、この他にも、開閉弁や３方弁を用いるなど、種々の方式が考えられる。
【００５８】
なお、本実施の形態では、背面に設けた洗浄経路４３の一部および洗浄手段２７ｃ、２７ｄは洗浄槽２２とは別体とし、洗浄槽２２内に配置したが、洗浄槽２２がステンレス鋼で形成されている場合など、側壁面への流路形成が困難な場合でも容易に取り付けることができる。また、別体であれば、部品が小型化できることからの部品の運搬も効率的に行える。
【００５９】
また、洗浄手段２７ｃ、２７ｄも各々別体で構成したが、タンク底からの立ち上がり部分から先の噴射口までを一体で構成することもできる。この場合、部品点数や組立工数が減少することからコストダウンが図れる。また、洗浄槽２２が樹脂で成形されている場合には、洗浄槽の壁面に洗浄経路４３を一体で形成し、噴射口を洗浄槽２２の壁面に直接設けることもできる。また、洗浄槽２２の壁面に取り付ける必要はなく、洗浄手段２７を食器かご２４に取り付けるなど、食器に所定の方向から噴射されれば問題はない。
【００６０】
また、本実施の形態において、洗浄手段２７を４個としたが、食器かご２４への被洗浄物２３の配置等に応じて、その個数を設定すればよい。また、回転式や固定式を限定するのもではないが、回転ノズルを用いると洗浄性能は向上するが、洗浄手段２７の占める空間が増大することから、食器洗い機本体２０の外郭寸法が同一の場合、食器を収容する部分の容積が減少するなどの課題を有するが、下方からの２個の洗浄による洗浄が主な洗浄となるため、回転ノズルを用いることが望ましい。また、図７のように、洗浄手段２７に全て回転ノズルを用いることもできる。
【００６１】
また、扉２１ないしは扉側に噴射口を設け、背面方向に噴射する構成とすることもでき、この場合は、洗浄水の噴射が扉２１のシール部を直撃することはなく、良好なシール性が得られる。
【００６２】
また、長方形形状の洗浄槽２２における食器洗い機では、食器かご２４の下方に２個の回転ノズルで構成した洗浄手段２７を設けることにより、食器かご２４全体に洗浄水を噴射することが困難な長方形の洗浄槽２２においても、分水手段３７により洗浄水を分岐して多方向より噴射することで、水量を増加させることなく、洗浄、すすぎ性能を向上できる。
【００６３】
また、食器かごの下方に設けた２個の回転ノズルは同時に噴射する構成（１個の洗浄手段）として運転すれば、強力に洗浄するという点で、高性能の食器洗い機を提供できる。同時に、上方に多くの洗浄手段２７を設けることができ、上方より大流量ですすぐことの効果がより増大する。
【００６４】
また、洗浄手段２７は、食器かご２４の下面より上方に位置し、かつ、洗浄槽２２の長手方向の両側に設けることにより、略長方形の洗浄槽２２において、食器かご２４のほぼ全域に上方より洗浄水を噴射することができ、十分な洗浄、すすぎ性能を確保することができるため、洗浄手段２７の数を最少に抑えることができる。また、洗浄手段２７の数が減ることで、食器かごの下方からの噴射時間を長くできるなど、他部位の洗浄力を高めることができ、洗浄槽２２内全体の洗浄性能を向上できる。
【００６５】
また、複数個の洗浄手段２７のうち、噴射される洗浄手段２７は１ヶ所のみとしたが、弁体４１の開口部４２を２ヶ所、あるいは、それ以上設けることで、複数の洗浄手段２７から同時に噴射させ、その位置を切換えることも可能である。この場合、下２個の回転ノズルを別洗浄手段２７としながら同時に洗浄水の噴射が可能となる。
【００６６】
また、複数個の流出部３９のうちの１個を、機外に洗浄水を排出する排出経路に接続すれば、排水ポンプ３２を用いずに排水を行うこともでき、排水ポンプ３２を設置する必要がなくなり、コストダウンや装置の小型化が図れる。なお、洗浄運転時に順次洗浄手段２７を切換える時に、この流出部３９も必ず通過するため、ここで洗浄ポンプ２６を運転し続けると洗浄中に排水されてしまうため、洗浄水が供給されている流出部３９を検出し、排水時以外は、この排水用の流出部３９に対して洗浄水を供給する時間をごく短時間とすることで、排水時以外の機外への排水を防止できる。
【００６７】
また、排水経路の途中に開閉弁（図示せず）を設ければ、確実に機外への洗浄水の排水を防止できる。また、分水手段３７の弁体４１の回転を途中で逆回転して、排水経路に分岐しないようにすることもでき、不必要な排水を防止できる。
【００６８】
また、食器かご２４における食器の配置は一例であり、セットする位置に対応して洗浄手段２７を設ければよい。また、小物類をセットする小物入れを、扉２１の内側に設けた場合など、食器かご２４以外の場所に被洗浄物２３をセットする場合でも、その位置に対応した洗浄手段２７を設ければ、同様の効果が得られる。
【００６９】
なお、本発明は、分水手段３７を設けた食器洗い機における噴射の仕方に関するものであり、食器洗い機本体２０の形状や大きさ、扉２１の開閉方式、食器の配置、個々の部品の配置等を限定するものではない。また、実施の形態では、乾燥機能を有する食器洗い乾燥機の例を示したが、乾燥機能を伴わない食器洗い機においても同様の効果が得られる。
【００７０】
（実施の形態２）
分水手段３７の弁体４１は、開口部４２を広げて（図示せず）、流出部の２ヶ所に同時に洗浄水を供給するようにしたものである。従来一般的であった、２個の回転ノズルを用いた場合と、同等の水量であれば、洗浄ポンプ２６の運転が可能であり、実施の形態１と同様の作用効果が得られ、多方向から噴射されるため、洗浄性能は飛躍的向上する。
【００７１】
分水手段３７は、洗浄手段２７ａと２７ｂ、洗浄手段２７ｂと２７ｃ、洗浄手段２７ｃと２７ｄ、洗浄手段２７ｄと２７ａの順に洗浄水を噴射するため、図８のように上下方向から同時に噴射されることがあるが、下からの噴射圧を上方より高く設定しておけば、上方からの噴射に負けることなく下方からの高圧の噴射で洗浄力を維持することができる。
【００７２】
また逆に、上方から噴射される流量を下方より多く設定しておけば、下方からの噴射を上回る流量で洗い流せるため、再付着物等を洗い流す効果に影響はなく、高いすすぎ性能を維持できる。
【００７３】
（実施の形態３）
図９に示すように、洗浄手段は、食器かごの下方に２個の回転ノズルと背面に１個の固定ノズルを設けて、洗浄するものである。基本構成は実施の形態１と同様であり、背面の左右両側に噴射口を有する固定式の洗浄手段２７ｅを備えている。洗浄手段は３ヶ所分岐であることから、一個の洗浄手段２７から噴射される時間が１．３倍になる。
【００７４】
このため、下から噴射されるエネルギが増加し、洗浄負荷の大きい碗類の洗浄力が増えたことになる。一方、上方からの噴射量は減少するが、固定ノズルの場合、回転ノズルのような軸部の漏れ損失等が存在せず、上方からの噴射には圧力もさほど必要としないことから、実施の形態１と同程度の流量（合計量）を流すことは十分可能であり、洗浄手段２７の数を最少に抑えつつ、略長方形の洗浄槽２２において食器かご２４のほぼ全域に上方より洗浄水を噴射でき、十分な洗浄性能およびすすぎ性能を確保することができる。
【００７５】
また、洗浄手段２７ｅの形状は、左右で高さを違えており、特に中央付近の被洗浄物２３は角度および高さの異なる方向から洗浄でき、より洗浄性能を高めることができる。
【００７６】
なお、この洗浄手段２７ｅは、扉側ないし扉に設けたとしても、同様の効果が得られる。また、図のように、洗浄槽２２背面側の中央部に洗浄経路４３を立ち上げると、下の回転ノズルの軌跡に干渉することなく送水に十分なサイズの流路を設けることが可能となり、上下各々の必要な水動力を確保できる。
【００７７】
また、洗浄手段２７の数が減ることからコストダウンを図れるメリットもある。また、図１０のように、背面の片側のみ噴射口を備えた場合でも、その噴射範囲内で効果を得ることができ、有効である。
【００７８】
（実施の形態４）
図１１に示すように、洗浄手段２７は、食器かご２４の下方に２個の回転ノズル２７ａ、２７ｂと、上下方向に複数設けた洗浄かごの間に２個の回転ノズル２７ｃ、２７ｄを設けて、洗浄するものである。
【００７９】
基本構成は実施の形態１と同様であり、図に示したように、食器かご２４は上下２段に分割しており、大容量を収容可能であり、ユーザーの多様な使用形態に対応できるようになっている。この場合、装置の高さも高くなっていることから、下２個の洗浄手段２７ａ、２７ｂだけでは不十分であり、上下かごの中間に洗浄手段２７ｃ、２７ｄを設けることが効果的であるが、分水手段３７を用いることで、多数の噴射口を設けつつも少水量で洗浄でき、効果的である。
【００８０】
また、４個の洗浄手段２７ａ、２７ｂ、２７ｃ、２７ｄを順次所定の間隔で噴射させる方法もあれば、下方から噴射する２個の洗浄手段２７ａ、２７ｂを１個の洗浄経路４３として同時に洗浄水を噴射するようにしてもよい。
【産業上の利用可能性】
【００８１】
以上のように、本発明にかかる食器洗い機は、洗浄性能の高い、高効率な洗浄を行うことができるので、食器洗い機として有用である。
【図面の簡単な説明】
【００８２】
【図１】本発明の実施の形態１の食器洗い機の一部切欠正面図
【図２】同食器洗い機の側断面図
【図３】同食器洗い機の分水手段の断面図
【図４】同食器洗い機の洗浄槽内部を上方より見た概略平面図
【図５】同食器洗い機の他の分水手段の断面図
【図６】同食器洗い機の他の分水手段の断面図
【図７】同食器洗い機の他の洗浄手段の配置例を示す図
【図８】本発明の実施の形態２の食器洗い機の一部切欠正面図
【図９】本発明の実施の形態３の食器洗い機の一部切欠正面図
【図１０】同食器洗い機の他の洗浄手段の配置例を示す図
【図１１】本発明の実施の形態４の食器洗い機の一部切欠正面図
【図１２】従来の食器洗い機の側断面図
【符号の説明】
【００８３】
２２  洗浄槽
２３  被洗浄物
２４  食器かご
２６  洗浄ポンプ
２７  洗浄手段
３７  分水手段
【図１】
2006068561.tif 000003
【図２】
2006068561.tif 000004
【図３】
2006068561.tif 000005
【図４】
2006068561.tif 000006
【図５】
2006068561.tif 000007
【図６】
2006068561.tif 000008
【図７】
2006068561.tif 000009
【図８】
2006068561.tif 000010
【図９】
2006068561.tif 000011
【図１０】
2006068561.tif 000012
【図１１】
2006068561.tif 000013
【図１２】
2006068561.tif 000014